(57)【要約】【課題】光学シャッタに異常が生じたときにもできるだけ撮影を行い得る撮像装置を提供する。【解決手段】撮像装置１は、電子シャッタにより露光制御可能な撮像素子６と、撮像素子６の光路上前方に配置された光学シャッタ５と、電子シャッタまたは光学シャッタ５を制御して、先幕により撮像素子６への露光を開始させ、後幕により撮像素子６への露光を終了させる制御部１１と、光学シャッタ５の状態を異常の有無を含めて検出するシャッタ異常検出部７と、を備える。制御部１１は、光学シャッタ５の異常が検出された場合には、光学シャッタ５を開放状態に制御可能か否かをさらに判定して、可能である場合には少なくとも先幕として電子シャッタを用いるように制御する。【選択図】図１
2010152142.tif 000002
【特許請求の範囲】
【請求項１】
２次元状に配列された複数の画素を備え、少なくとも先幕として機能する電子シャッタにより露光制御可能な撮像素子と、
上記撮像素子の光路上前方に配置されていて、先幕および後幕として機能する光学シャッタと、
上記電子シャッタまたは上記光学シャッタを制御して、先幕により上記撮像素子への露光を開始させ、後幕により該撮像素子への露光を終了させるシャッタ制御部と、
上記光学シャッタの状態を、異常の有無を含めて検出するシャッタ異常検出部と、
を具備し、
上記シャッタ制御部は、上記シャッタ異常検出部により上記光学シャッタの異常が検出された場合には、該光学シャッタを開放状態に制御することが可能であるか否かをさらに判定して、開放状態の制御が可能であると判定した場合には、少なくとも先幕として上記電子シャッタを用いるように制御するものであることを特徴とする撮像装置。
【請求項２】
上記電子シャッタは、さらに、後幕としても機能し得るものであり、
上記光学シャッタは、先幕と後幕とを備えたメカニカルフォーカルプレーンシャッタであり、
上記シャッタ異常検出部は、さらに、上記光学シャッタの後幕の幕速を検出するものであって、
上記シャッタ制御部は、上記光学シャッタの異常が検出され、かつ上記開放状態の制御が可能であると判定した場合には、該光学シャッタの後幕の幕速と、上記電子シャッタの後幕の幕速とを比較して、幕速が遅くない方の後幕を用いるように制御するものであることを特徴とする請求項１に記載の撮像装置。
【請求項３】
上記シャッタ異常検出部は、さらに、上記光学シャッタの後幕の走行特性を検出するものであり、
上記シャッタ制御部は、上記光学シャッタの異常が検出され、かつ上記開放状態の制御が可能であると判定した場合であって、さらに後幕として上記光学シャッタを用いる場合には、先幕として用いる電子シャッタの走行特性を、上記光学シャッタの後幕の走行特性に一致させるように制御するものであることを特徴とする請求項２に記載の撮像装置。
【請求項４】
上記電子シャッタは、電子ローリングシャッタであることを特徴とする請求項１から請求項３の何れか一項に記載の撮像装置。
【発明の詳細な説明】
【技術分野】
【０００１】
本発明は、光学シャッタと、電子シャッタにより露光制御可能な撮像素子と、を備えた撮像装置に関する。
【背景技術】
【０００２】
撮像装置としてのカメラのマーケットシェアーは、近年、銀塩カメラからデジタルカメラへの移行を果たしている。
【０００３】
銀塩カメラは、写真を得るためには、記録媒体であるフィルムを購入し、撮影後に現像に出す必要があり、写真１枚当たりに相当の費用を要していた。そして、１本のフィルムに記録可能な画像の数も数十枚程度である。
【０００４】
これに対してデジタルカメラは、撮影後の画像データをパーソナルコンピュータ等へ移動することができるために、メモリカード等の記録媒体を一旦購入すれば、その後は記録媒体を毎回購入する必要はなく、また撮影後の現像も不要であるために、１枚の画像データを得るために要する費用は、銀塩カメラに比して圧倒的に低額である。さらに、近年の記録媒体の大容量化に伴って、１枚のメモリカード等に記録可能な画像の数は増大の一途をたどり、例えば数千枚もの画像を記録することが可能となっている。
【０００５】
このような状況から、１台のデジタルカメラにより所定期間（例えば、購入後１年以内）に撮影される画像の枚数は、１台の銀塩カメラにより同一期間に撮影される画像の枚数に比して、飛躍的に増加している。
【０００６】
一方、デジタルカメラには上述したようにメカニカルシャッタが備えられていることがあるが、特に一眼レフレックスタイプのデジタルカメラには、多くの場合、フォーカルプレーンシャッタが備えられている。
【０００７】
フォーカルプレーンシャッタを銀塩カメラに搭載する場合には、プロフェッショナル用途であっても１０万回程度のシャッタ回数に耐え得るように設計すれば足りたが、デジタルカメラに搭載する場合には、更なるシャッタ耐性を備えることが望ましい。
【０００８】
しかしながら、メカニカルシャッタの場合には、シャッタ耐性を向上するのは容易ではなく、しかも多くのコストを要することになるために、現実的には１０万回〜２０万回程度を上限とせざるを得ない。従って、メカニカルシャッタが消耗して、設計した通りの機能を発揮できなくなる事態が増加している。
【０００９】
このようなメカニカルシャッタの異常が発生したか否かを検出するための技術として、例えば特開２００３−３３００６５号公報には、シャッタ幕の走行状態を検出して、検出結果に基づき幕走行時間を判断し、シャッタに異常が発生しているか否かを判定する技術が記載されている。
【特許文献１】特開２００３−３３００６５号公報
【発明の開示】
【発明が解決しようとする課題】
【００１０】
上述したような光学シャッタの異常が発生した場合に、その旨をユーザに告知等してから撮影不能な状態に移行することも可能であるが、ユーザがカメラを使用中である場合、特に、例えば結婚式や入学式等の重要なシーンを撮影中である場合などに配慮すると、何らかの写真を残すことができるようにする手段があることが望ましい。
【００１１】
本発明は上記事情に鑑みてなされたものであり、光学シャッタに異常が生じたときにもできるだけ撮影を行い得る撮像装置を提供することを目的としている。
【課題を解決するための手段】
【００１２】
上記の目的を達成するために、本発明の第１の態様による撮像装置は、２次元状に配列された複数の画素を備え、少なくとも先幕として機能する電子シャッタにより露光制御可能な撮像素子と、上記撮像素子の光路上前方に配置されていて、先幕および後幕として機能する光学シャッタと、上記電子シャッタまたは上記光学シャッタを制御して、先幕により上記撮像素子への露光を開始させ、後幕により該撮像素子への露光を終了させるシャッタ制御部と、上記光学シャッタの状態を、異常の有無を含めて検出するシャッタ異常検出部と、を具備し、上記シャッタ制御部は、上記シャッタ異常検出部により上記光学シャッタの異常が検出された場合には、該光学シャッタを開放状態に制御することが可能であるか否かをさらに判定して、開放状態の制御が可能であると判定した場合には、少なくとも先幕として上記電子シャッタを用いるように制御するものであることを特徴とする。
【発明の効果】
【００１３】
本発明の撮像装置によれば、光学シャッタに異常が生じたときにもできるだけ撮影を行うことが可能となる。
【発明を実施するための最良の形態】
【００１４】
以下、図面を参照して本発明の実施の形態を説明する。
【００１５】
［実施形態１］
図１から図６は本発明の実施形態１を示したものであり、図１は撮像装置の構成を示すブロック図である。
【００１６】
この撮像装置１は、レンズ３や絞り４を備えるレンズ鏡筒２と、光学シャッタ５（以下では適宜、「シャッタ５」と省略する）と、撮像素子６と、シャッタ異常検出部７と、画像処理部８と、メモリカード９と、表示部１０と、制御部１１と、シャッタ確認モード設定部１２ａを備える操作部１２と、バッテリ１３と、を備えている。
【００１７】
レンズ鏡筒２は、例えば、バヨネットマウント等を介してカメラ本体に対して交換可能に構成されたものとなっている。ただし、レンズ鏡筒２が撮像装置１に固定のタイプのものであってももちろん構わない。
【００１８】
レンズ３は、被写体の光学像を撮像素子６の撮像面へ結像するためのものである。このレンズ３は、焦点調節を行うためのフォーカスレンズを含んで構成されている。
【００１９】
絞り４は、レンズ３から撮像素子６へ向かう被写体光束の通過範囲を規定することにより、撮像素子６上に結像される被写体像の明るさを調節するためのものある。
【００２０】
シャッタ５は、撮像素子６の光路上前方に配置されていて、レンズ３からの被写体光束が撮像素子６へ照射されている時間を制御するためのものである。このシャッタ５は、例えば、フォーカルプレーンシャッタ等のメカニカルシャッタとして構成されていて、露光開始タイミングを制御するための先幕と、露光終了タイミングを制御するための後幕と、を備えている。
【００２１】
撮像素子６は、電子シャッタ（例えば電子ローリングシャッタ）により露光制御可能な撮像素子として構成されたものであり、一例としてはＣＭＯＳセンサが挙げられる。ここに、電子ローリングシャッタとは、撮像素子６の撮像面に２次元状に配列されている複数の画素をリセットする際、または信号を読み出す際に、画素毎に時系列的に、あるいはライン単位で時系列的に、リセットまたは読み出しを行うものをいう。すなわち、撮像素子６を電子ローリングシャッタによりリセットすれば、光学シャッタ５の先幕と同様の機能を果たすことができ、撮像素子６から電子ローリングシャッタにより画像データを読み出せば、光学シャッタ５の後幕と同様の機能を果たすことができる。ここに、撮像素子６による電子シャッタの幕走行方向は、光学式のシャッタ５による幕走行方向と同一であるものとする（すなわち、シャッタ５が縦走りであれば電子シャッタも縦走り、シャッタ５が横走りであれば電子シャッタも横走りであるものとする）。
【００２２】
なお、ここでは電子シャッタの例として電子ローリングシャッタを挙げたが、本発明はこれに限定されるものはなく、例えば、ＣＣＤ等におけるプログレッシブ読み出し等であっても構わない。
【００２３】
シャッタ異常検出部７は、シャッタ５の状態、例えば、異常の有無、幕速、走行特性などを検出して、検出結果を制御部１１へ出力するものである。このシャッタ異常検出部７は、シャッタ５の幕走行状態を光学センサ等により直接検出するタイプのものであっても良いし、上述した特開２００３−３３００６５号公報に記載されたようなスイッチを用いて検出するタイプのものであっても良いし、撮像素子６から得られる画像データを解析することによって検出するタイプのものでも良く、その検出方式に限定されるものではない。
【００２４】
画像処理部８は、撮像素子６から出力される画像データに各種の画像処理を施すものである。また、画像処理部８は、メモリカード９から読み出した画像の処理も行うようになっている。
【００２５】
メモリカード９は、画像処理部８により記録用に処理された画像データを記録する記録媒体である。このメモリカード９は、例えば撮像装置１に着脱可能に構成されているものが想定され、この場合には撮像装置１に固有の構成でなくても構わない。
【００２６】
表示部１０は、画像処理部８により表示用に処理された画像データを表示するものである。
【００２７】
制御部１１は、レンズ鏡筒２、シャッタ５、撮像素子６、シャッタ異常検出部７、画像処理部８を含むこの撮像装置１の内部を統括的に制御するものであり、操作部１２からの入力信号も受信するようになっている。すなわち、制御部１１は、図示しないＡＦ検出部からのＡＦ値に基づくレンズ３のフォーカス制御、図示しないＡＥ検出部からの露出値に基づく絞り４の制御、露出値に基づくシャッタ５の駆動制御（シャッタ制御部としての機能）、撮像素子６の撮像制御、シャッタ異常検出部７による検出制御、画像処理部８による画像処理の制御などを行うようになっている。さらに、制御部１１は、必要に応じて（例えば後述する非常撮影モード時に）、撮像素子６を電子シャッタ（上述したように例えば電子ローリングシャッタ）により露光制御するものとなっている（シャッタ制御部としての機能）。
【００２８】
すなわち、シャッタ制御部として機能する制御部１１は、撮像素子６の電子シャッタまたは光学シャッタ５を制御して、先幕により撮像素子６への露光を開始させ、後幕により撮像素子６への露光を終了させるように制御する。さらに、制御部１１は、シャッタ異常検出部７により光学シャッタ５の異常を検出した場合には、後述するように、少なくとも先幕として電子シャッタを用いるように制御するようになっている。
【００２９】
操作部１２は、この撮像装置１に対する各種の操作入力を行うためのものである。この操作部１２は、撮像装置１の動作モードをシャッタ確認モードに設定するためのシャッタ確認モード設定部１２ａを含んでいる。さらに、操作部１２は、撮像装置１の電源をオン／オフするための電源スイッチ、画像の撮影指示を入力するためのものであり２段式の押圧ボタンとして構成されたレリーズボタン、撮像装置１の動作モードを非常撮影モードに設定するための非常撮影モード設定スイッチ、なども含んでいる。
【００３０】
バッテリ１３は、この撮像装置１の電力供給源である。
【００３１】
次に、図２はフォーカルプレーンシャッタとして構成された光学シャッタ５の動作サイクルを示す図である。
【００３２】
シャッタ５は、露光開始タイミングを制御するための先幕ＦＢと、露光終了タイミングを制御するための後幕ＲＢと、の２枚の幕を備えている。なお、図２に示す例においては、先幕ＦＢおよび後幕ＲＢは、それぞれ、例えば複数枚のシャッタ羽根により構成されたものとなっている。
【００３３】
まず、図２（Ａ）は撮影前（露光前）の様子を示している。後幕ＲＢは撮像素子６よりも上側の位置に退避しており、先幕ＦＢは撮像素子６とレンズ鏡筒２との間を光密に覆っている。
【００３４】
次に、図２（Ｂ）は撮影中（露光中）の様子を示している。この図２（Ｂ）においては、シンクロ速度以上でシャッタ５が駆動されているとき、つまり、露光スリットＥＳを介して露光が行われているときの様子を図示している。先幕ＦＢの上端は撮像素子６の光軸上前方を下方へ向けて走行している。一方、後幕ＲＢの下端は、露光スリットＥＳのスリット幅だけ間隔をおいて、先幕ＦＢの上端を追いかけるように下方へ向けて走行している。
【００３５】
続いて、図２（Ｃ）は、撮影（露光）が終了したときの様子を示している。先幕ＦＢは、撮像素子６よりも下側の位置に到達している。一方、後幕ＲＢは、撮像素子６とレンズ鏡筒２との間を光密に覆っている。
【００３６】
さらに、図２（Ｄ）は、シャッタチャージを行っているときの様子を示している。先幕ＦＢおよび後幕ＲＢは、互いに重畳する部分を有するように（光密を維持するように）連携しながら、図２（Ａ）に示した位置へ向かって上方へ移動している。
【００３７】
そして、フォーカルプレーンシャッタは、図２（Ａ）→図２（Ｂ）→図２（Ｃ）→図２（Ｄ）→図２（Ａ）に示すようなサイクルにより動作を行うようになっている。
【００３８】
次に、図３は撮像装置１におけるシャッタ確認モード時の処理を示すフローチャートである。
【００３９】
シャッタ確認モード設定部１２ａが操作されると、撮像装置１は、この図３に示す処理の実行を開始するようになっている。なお、シャッタ確認モード設定部１２ａの操作は、ユーザが自発的に行うに限るものではなく、前回シャッタ確認モードに設定されたときからの経過時間や撮影枚数等をカウントして記憶しておき、経過時間や撮影枚数等が所定値に達したときにシャッタ確認モードの実行をユーザに促すような表示等を行っても構わない。
【００４０】
この処理を開始すると、制御部１１は、まず、シャッタ異常検出部７から情報を取得して、シャッタ５が正常であるか否かを判定する（ステップＳ１）。
【００４１】
ここで、正常であると判定した場合には、制御部１１は、表示部１０にシャッタ５が正常である旨の表示を行ってから（ステップＳ２） 、この処理を終了する。
【００４２】
一方、ステップＳ１において、シャッタ５が異常であると判定した場合には、制御部１１は、表示部１０に、シャッタ５が異常である旨の表示と、非常撮影モードに設定するか否かをユーザに問い合わせる旨の表示と、を行う（ステップＳ３）。
【００４３】
そして、操作部１２からの入力信号に基づいて、制御部１１は、ユーザが非常撮影モードに設定する操作を行ったか否かを判定する（ステップＳ４）。
【００４４】
ここで、非常撮影モードに設定する操作が行われなかったと判定したときには、この処理を終了する。
【００４５】
また、ステップＳ４において、非常撮影モードに設定する操作が行われたと判定したときには、制御部１１は、シャッタ５を開放状態に制御することが可能であるか否かを、シャッタ異常検出部７からの情報に基づいて判定する（ステップＳ５）。
【００４６】
ここで、開放状態の制御が不可能であると判定した場合には、例え電子シャッタを用いたとしてもケラレのない画像を撮像することは不可能であるために、制御部１１は、表示部１０に撮影が不能である旨の表示を行ってから（ステップＳ６） 、この処理を終了する。
【００４７】
なお、ここでは非常撮影モードに設定する操作が行われた後に開放状態の可否判定を行っているが、この処理では、非常撮影モードに設定したにもかかわらず撮影ができないという場合が生じるために、ユーザの利便性が高いとはいえない。そこで、ユーザの利便性を考慮して、非常撮影モードに設定する操作が行われる前に開放状態の可否判定を行うことも考えられる。この場合には、例えば、ステップＳ１の処理とステップＳ３の処理との間において開放状態の可否判定を行い、可能である場合にはステップＳ３の処理へ進み、不可能である場合にはステップＳ６の処理へ進むなどを行うと良い。
【００４８】
一方、上述したステップＳ５において、開放状態の制御が可能であると判定した場合には、非常撮影モードにおける処理として、次に説明する２つの処理の何れかへ移行する。
【００４９】
まず、図４は、非常撮影モードにおける第１の処理例を示すフローチャートである。
【００５０】
図３のステップＳ５の処理からこの図４に示した処理に移行すると、まず、操作部１２のレリーズボタンが半押しされるのを待機する（ステップＳ１１）。
【００５１】
ここで、レリーズボタンが半押しされたことが検出された場合には、通常と同様のＡＦ動作およびＡＥ動作を行う（ステップＳ１２）。
【００５２】
次に、レリーズボタンが全押しされるのを待機して（ステップＳ１３）、全押しされるまではステップＳ１１へ戻って上述したような処理を繰り返して行う。
【００５３】
こうして、ステップＳ１３においてレリーズボタンが全押しされたと判定された場合には、制御部１１は、シャッタ制御部として機能し、シャッタ５を開放状態に制御してから、先幕および後幕の両方を電子シャッタにより露出制御して、撮像素子６への露光を行わせる（ステップＳ１４）。
【００５４】
露光が終了したら、制御部１１は、通常の撮像動作時と同様に、撮像素子６から画像データの読み出しを行わせ、さらに、画像処理部８により画像処理を行わせ、メモリカード９へ記録を行わせるように制御する（ステップＳ１５）。
【００５５】
その後、操作部１２から撮影を中止する入力がなされたか否かを判定し（ステップＳ１６）、入力されていない場合にはステップＳ１１へ戻って、次の画像を撮像するためにレリーズボタンが押圧されるのを待機する。
【００５６】
一方、ステップＳ１６において、撮影を中止する入力がなされたと判定した場合には、この処理を終了する。
【００５７】
次に、図５は非常撮影モードにおける第２の処理例を示すフローチャート、図６は光学シャッタと電子シャッタの走行特性の様子を示す図である。ここに、図６（Ａ）は光学シャッタの走行特性、図６（Ｂ）は電子シャッタの走行特性、図６（Ｃ）は先幕の幕速が遅くなった光学シャッタの走行特性、図６（Ｄ）は図６（Ｃ）における先幕のみを電子シャッタに変更したときの走行特性、図６（Ｅ）は後幕の幕速がやや遅くなった（しかし、電子シャッタの後幕の幕速よりは速い）光学シャッタの走行特性、図６（Ｆ）は図６（Ｅ）における先幕のみを電子シャッタに変更したときの走行特性、をそれぞれ示している。また、図６において、符号Ｕは撮像素子６の撮像面の幕走行方向における始端側（例えば上端側）、符号Ｄは撮像素子６の撮像面の幕走行方向における終端側（例えば下端側）をそれぞれ示している。
【００５８】
図３のステップＳ５の処理からこの図５に示した処理に移行すると、制御部１１は、まず、シャッタ異常検出部７からの情報に基づいて、シャッタ故障状態の検証を行う（ステップＳ２１）。
【００５９】
そして、制御部１１は、ステップＳ２１の検証結果に基づいて、不良であるのが後幕であるか否かを判定する（ステップＳ２２）。すなわち、ここでは、図６（Ｃ）に示すように先幕ＦＢが不良であるのか、あるいは図６（Ｅ）に示すように後幕ＲＢが不良であるのかを判定する。
【００６０】
ここで、不良であるのが後幕であると判定した場合には、シャッタ５の後幕の幕速が、電子シャッタにおけるローリング読み出しの速度（電子シャッタにおける後幕の幕速に相当）よりも遅いか否かを判定する（ステップＳ２３）。
【００６１】
ここで、光学シャッタ５が例えば縦走りフォーカルプレーンシャッタである場合には、先幕ＦＢまたは後幕ＲＢが、撮像素子６の撮像面を横切るのに要する時間は、図６（Ａ）に示すように、例えば１／２５０秒程度である。これに対して、現在の例えば６００万画素程度の撮像素子６のローリング読出速度（電子シャッタの後幕ＥＲＢの走行時間とほぼ同じ）は、高速なタイプのものでも図６（Ｂ）に示すようにせいぜい１／６０秒程度となっている。従って、シャッタ５の後幕の幕速が幾らか遅くなったとしても、故障の程度がひどくない限りは、ローリング読出速度よりも早いと考えられ、逆にローリング読出速度よりも遅い場合には故障の程度がひどいと考えられる。
【００６２】
そして、シャッタ５の後幕の幕速が、ローリング読出速度よりも遅いと判定した場合（つまり、故障の程度がひどい場合）には、図４のステップＳ１１の処理へ移行して、先幕および後幕の両方を電子シャッタにより露出制御するようにする。
【００６３】
また、シャッタ５の後幕の幕速がローリング読出速度以上であると判定した場合（図６（Ｅ）に示したような場合）、または、ステップＳ２２において不良であるのが後幕ではない（つまり先幕である）と判定された場合（図６（Ｃ）に示したような場合）には、以下に説明するように、先幕を電子シャッタ、後幕をシャッタ５により露出制御するようになっている。
【００６４】
すなわち、まず、操作部１２のレリーズボタンが半押しされるのを待機する（ステップＳ２４）。
【００６５】
ここで、レリーズボタンが半押しされたことが検出された場合には、通常と同様のＡＦ動作およびＡＥ動作を行う（ステップＳ２５）。
【００６６】
次に、レリーズボタンが全押しされるのを待機して（ステップＳ２６）、全押しされるまではステップＳ２４へ戻って上述したような処理を繰り返して行う。
【００６７】
こうして、ステップＳ２６においてレリーズボタンが全押しされたと判定された場合には、制御部１１は、シャッタ制御部として機能して、シャッタ５を開放状態に制御してから、先幕を電子シャッタにより露出制御して、撮像素子６への露光を開始させる（ステップＳ２７）。
【００６８】
この電子シャッタによる先幕ＥＦＢは、画素をローリングリセットするだけで足りるために、図６（Ｄ）や図６（Ｆ）に示すように、１／２５０秒（もしくはそれ以上）の幕速を容易に実現することができる。さらに、この電子シャッタによる先幕は、電子的な制御で行うものであるために、シャッタ５によるメカニカルな後幕の走行特性（非直線的な特性も含む）に一致させるような制御を容易に行うことが可能であり、制御部１１はそのような制御を、図６（Ｄ）や図６（Ｆ）に示すように行う。
【００６９】
続いて、先幕の走行を開始させてからＡＥにより算出された所定時間が経過した後に、制御部１１は、シャッタ制御部として機能し、シャッタ５の後幕を走行させる（ステップＳ２８）。
【００７０】
露光が終了したら、制御部１１は、通常の撮像動作時と同様に、撮像素子６から画像データの読み出しを行わせ、さらに、画像処理部８により画像処理を行わせ、メモリカード９へ記録を行わせるように制御する（ステップＳ２９）。
【００７１】
その後、操作部１２から撮影を中止する入力がなされたか否かを判定し（ステップＳ３０）、入力されていない場合にはステップＳ２４へ戻って、次の画像を撮像するためにレリーズボタンが押圧されるのを待機する。
【００７２】
一方、ステップＳ３０において、撮影を中止する入力がなされたと判定した場合には、この処理を終了する。
【００７３】
なお、上述では、光学シャッタ５の例としてフォーカルプレーンシャッタを挙げているが、本発明はこれに限定されるものではない。一例を挙げれば、シャッタ５として液晶シャッタを用いて撮像素子６上への被写体光束の照射と非照射とを制御する構成を採用した場合であっても、上述したような技術（例えば、図４に示したような非常撮影モードにおける第１の処理例など）を適用して、液晶シャッタ（例えば、ノーマリーホワイトに構成されたものなど）が故障したとき（例えば、低温時に所定の機能を発揮できなくなったときなど）にも非常撮影モードにより撮影を継続して行うことが可能となる。また、レンズシャッタとプログレッシブタイプのＣＣＤとの組み合わせの場合においても、非常撮影モードにより撮影を継続して行うことが可能となる。
【００７４】
このような実施形態１によれば、光学シャッタに異常が生じたときにも、撮影不能になるという事態を可能な限り回避して、非常撮影モードにより撮影を行うことが可能となる。
【００７５】
そして、電子シャッタの後幕速度と、光学シャッタの後幕速度とを比較して、遅くない方の後幕を用いるようにしているために、非常撮影モードにおいてなるべく早いシンクロ速度（ストロボの同調速度）を実現することが可能となる。また、幕速が速いシャッタは、画像の一端側と他端側とで露光開始時刻や露光終了時刻が異なることに起因して発生する、高速に移動する被写体の歪みを軽減するのにも効果的である。
【００７６】
また、先幕に電子シャッタ、後幕に光学シャッタを用いる場合に、先幕の走行特性を後幕の走行特性に合わせて制御するようにしたために、後幕に異常があっても、面内の露光量が均一な画像を得ることができる。
【００７７】
さらに、光学シャッタに異常が生じたときには、ユーザが非常撮影モードに設定した後に、撮影を継続することができるように構成したために、現在の撮影が通常でない非常時の動作により行われていることをユーザが認識することが可能となる。
【００７８】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【図面の簡単な説明】
【００７９】
【図１】本発明の実施形態１における撮像装置の構成を示すブロック図。
【図２】上記実施形態１において、フォーカルプレーンシャッタとして構成された光学シャッタの動作サイクルを示す図。
【図３】上記実施形態１の撮像装置におけるシャッタ確認モード時の処理を示すフローチャート。
【図４】上記実施形態１において、非常撮影モードにおける第１の処理例を示すフローチャート。
【図５】上記実施形態１において、非常撮影モードにおける第２の処理例を示すフローチャート。
【図６】上記実施形態１において、光学シャッタと電子シャッタの走行特性の様子を示す図。
【符号の説明】
【００８０】
１…撮像装置
２…レンズ鏡筒
３…レンズ
４…絞り
５…光学シャッタ
６…撮像素子
７…シャッタ異常検出部
８…画像処理部
９…メモリカード
１０…表示部
１１…制御部（シャッタ制御部）
１２…操作部
１２ａ…シャッタ確認モード設定部
１３…バッテリ
【図１】
2010152142.tif 000003
【図２】
2010152142.tif 000004
【図３】
2010152142.tif 000005
【図４】
2010152142.tif 000006
【図５】
2010152142.tif 000007
【図６】
2010152142.tif 000008